(57)【要約】      （修正有）【課題】  操作性が改善されたカッタを提供する。【解決手段】  カッタケース（１１）が、ケース側面（２３，２４）にある切欠きのほかにカッタ刃先（Ｓ）から遠い方にあるカッタ背面（Ｒ）に付加的なスリット状切欠き（１７）を持ち、この切欠き（１７）内に付加的な操作突起（２２）が一部受入れられており、スリット状切欠き（１５，１６，１７）をそれぞれ包囲するカッタケース（１１）のケース外面範囲（２６，２７，２８）が、利用者の指及び手の当接面を形成している。【選択図】図１
2007117749.tif 000002
【特許請求の範囲】
【請求項１】
カッタ（１０）であって、カッタケース（１１）及びカッタケース（１１）の受入れ通路（Ａ）内をカッタケースの長手方向に並進運動可能でカッタ刃（１３）を受入れる刃取付け具（１２）を持ち、刃取付け具（１２）に少なくとも１つの操作突起（２０，２１，２２）が付属し、カッタ刃（１３）が受入れ通路（Ａ）内に設けられている不使用位置と、カッタ刃（１３）が少なくとも一部カッタケース（１１）の開口（１８）から突出している切断位置との間で、刃取付け具（１２）が移動可能であり、カッタケース（１１）の対向する側面（２３，２４）が、操作突起（２０，２１）を一部受入れるスリット状切欠き（１５，１６）を持っているものにおいて、カッタケース（１１）が、カッタ刃先（Ｓ）から遠い方にあるカッタ背面（Ｒ）に付加的なスリット状切欠き（１７）を持ち、この切欠き（１７）内に付加的な操作突起（２２）が一部受入れられており、スリット状切欠き（１５，１６，１７）をそれぞれ包囲するカッタケース（１１）のケース外面範囲（２６，２７，２８）が、利用者の指及び手の当接面を形成していることを特徴とする、カッタ。
【請求項２】
切欠きを包囲するケース外面範囲（２６，２７，２８）が、操作突起（２０，２１，２２）に対して突出し、操作突起（２０，２１，２２）が少なくとも一部ケース外面範囲（２６，２７，２８）に対して凹んで設けられていることを特徴とする、請求項１に記載のカッタ。
【請求項３】
切欠きを包囲するケース外面範囲（２６，２７，２８）が、操作突起（２０，２１，２２）に対して同一面をなすように形成されていることを特徴とする、請求項１に記載のカッタ。
【請求項４】
少なくとも１つの操作突起（２０，２１，２２）が、操作突起（２０，２１，２２）の操作面（３２，３３，３４）に対して突出する隆起（２９，３０，３１）を持っていることを特徴とする、請求項１〜３の１つに記載のカッタ。
【請求項５】
隆起（２９，３０，３１）が利用者の指用のストッパ面（Ｄ）を持っていることを特徴とする、請求項４に記載のカッタ。
【請求項６】
すべての操作突起（２０，２１，２２）が操作素子（１４）に付属していることを特徴とする、請求項１〜５の１つに記載のカッタ。
【請求項７】
操作突起（２０，２１，２２）と操作素子（１４）が一体に互いに結合されていることを特徴とする、請求項６に記載のカッタ。
【請求項８】
切欠き（１５，１６，１７）を設けられているカッタケース（１１）の少なくとも１つのカッタ範囲が、実質的に長方形の断面を持っていることを特徴とする、請求項１〜７の１つに記載のカッタ。
【請求項９】
実質的に長方形の断面の隅範囲が丸められて形成されていることを特徴とする、請求項８に記載のカッタ。
【請求項１０】
切欠き（１５，１６，１７）を設けられているカッタケース（１１）の少なくとも１つのカッタ範囲が、実質的に長円形の断面を持っていることを特徴とする、請求項１〜７の１つに記載のカッタ。
【発明の詳細な説明】
【技術分野】
【０００１】  本発明は、請求項１の上位概念に記載のカッタケースを持つカッタに関する。
【背景技術】
【０００２】  このようなカッタは、ドイツ連邦共和国特許第３６２２３４３号明細書から公知である。カッタケースの受入れ通路内に、カッタ刃を受入れる刃取付け具が案内されている。刃取付け具は両側面に操作突起を持ち、これらの操作突起はケースの切欠きにそれぞれ受入れられている。操作突起により、ばねの戻し力に抗して刃を、ケースへ引込まれた位置から、切断位置へもたらすことができ、切断位置で刃の一部が、切断のためケース開口から突出する。【０００３】  このカッタは、両側にある操作突起のため、カッタの操作が左手に対しても右手に対しても可能である、という利点を持っている。しかしカッタは、カッタ背面を押すことが必要である水平な切断運動の場合、操作するのが困難である。【０００４】  公然の先使用で公知になっているカッタも同様に、カッタケースの受入れ通路に並進運動可能に案内される刃取り付け具を持っている。ケース背面は、刃取付け具に結合される操作突起が貫通する切欠きを持っている。操作突起はカッタケースを鞍状に覆っている。カッタは右手にも左手にも適しており、更に親指の圧力をカッタ背面へ及ぼさねばならない水平切断を可能にする。【０００５】  しかしこのカッタの欠点は、カッタの操作が困難なことである。なぜならば、例えば親指で操作突起を動かす際、操作突起が別の個所でケースを覆う手と衝突することである。
【発明の開示】
【発明が解決しようとする課題】
【０００６】  前記の従来技術から出発して、本発明の課題は、操作が改善されたカッタを提供することである。
【課題を解決するための手段】
【０００７】  この課題は、請求項１の特徴によって解決される。【０００８】  本発明の重要な原理は、カッタケースが今や３つのスリット状切欠きを持ち、これらの切欠きに刃取付け具のそれぞれ１つの操作突起が受入れられていることである。切欠きを包囲するカッタケースの外面は、利用者の指のために支持兼当接面を形成している。操作突起の外面は、包囲するケース外面に対して引込んでいるか、又は同一面で終わっていてよい。操作突起の外面の部分範囲も、包囲するケース外面に対して突出していてもよい。【０００９】  本発明の利点は、カッタが右手によっても左手によっても２つの異なる切断位置で使用可能なことである。第１の切断位置では、切断圧力が母指球により刃背面へ加えられ、第２の切断位置では、親指がカッタ背面に当接して、切断圧力を及ぼす。【００１０】  第１の実施形態によれば、切欠きを包囲するケース外面範囲が、操作突起に対して突出し、操作突起が少なくとも一部ケース外面範囲に対して凹んで設けられている。利用者の手のための支持面を形成する外面が、操作突起に対して突出しているので、利用者の手は橋のように切欠きを覆い、従って操作突起の操作の際意に反して他の操作突起に接触することはない。【００１１】    別の実施形態によれば、少なくとも１つの操作突起が、操作突起の操作面に対して突出する隆起を持っている。隆起が利用者の指用のストッパ面を持っているので、指が滑り外れるの防止され、操作突起が容易に移動可能である。隆起はカッタケースの外面から突出していなくてもよい。隆起は操作面に対して突出しているが、カッタケースに対して凹んでいてもよい。【００１２】    別の実施形態によれば、すべての操作突起が操作素子に付属している。操作突起は例えば操作素子に接着されるか、例えばクリップ止めにより別のやり方で取付け可能である。操作素子は例えば刃取付け具に固定的に取付けられるか、又は別のやり方例えば継手により刃取付け具と共同作用することができる。【００１３】  別の実施形態によれば、操作突起と操作素子が一体に互いに結合されている。１つの部分から成る操作素子は、例えばプラスチックの射出成形により製造することができる。【００１４】  本発明の別の構成によれば、少なくとも切欠きを設けられているカッタケースの範囲が、実質的に長方形の断面を持っている。【００１５】人間工学的に有利な構成によれば、実質的に長方形の断面の隅範囲が丸められて形成されている。【００１６】  本発明の別の構成によれば、少なくとも切欠きを設けられているカッタケースの範囲が、実質的に長円形の断面を持っている。【００１７】  本発明の別の利点は、引用しない従属請求項及び図示されている実施例の説明からわかる。
【発明を実施するための最良の形態】
【００１８】  図面において、カッタは全体に符号１０を付けられている。異なる図における同じ符号は同じ部分を示している。【００１９】  このようなカッタ１０は、図１によれば実質的に、カッタケース１１、刃１３を持つ刃取付け具１２、及び操作素子１４を持っている。カッタケース１１はほぼスリット状の切欠き１５，１６及び１７を備えている。更にカッタケース１１は受入れ通路Ａを持っている。【００２０】  カッタケース１１の受入れ通路Ａ内には、刃取付け具１２が公知のように長手方向移動可能に設けられている。従って刃取付け具１２は、刃１３が一部カッタケース１１の開口１８から突出する図１〜４の切断位置と、刃１３が受入れ通路Ａ内に引込まれている図示しない不使用位置との間で移動可能なので、刃１３の刃先Ｓは危険ではない。刃１３は公知のように刃取付け具１２に受入れられている。刃取付け具１２は、コイルばねＦにより不使用位置へ荷重をかけられている。【００２１】  刃取付け具１２には操作素子１４が付属し、これと一体に形成されて操作面３２，３３，３４を有する操作突起２０，２１，２２を持っている。操作突起２０，２１及び２２は、利用者の操作指のためのストッパ面Ｄを持つ隆起２９，３０及び３１を備えている。操作素子１４は刃取付け具１２に固定的に取付けられるか、例えば継手素子を介して刃取付け具と結合されることができる。【００２２】  操作突起２０は切欠き１５内に、操作突起２１は切欠き１６内に、また操作突起２２は切欠き１７内に設けられている。従ってカッタ１０は、カッタ１０の２つの異なる位置への刃取付け具１２の操作を可能にする。切断位置で、カッタ背面Ｒへ母指球により切断圧力が加えられる。その場合カッタ１０を右手で使用するか左手で使用するかに応じて、刃取付け具１２は操作突起２０又は２１により操作される。他の切断位置で、親指による切断圧力がカッタ背面Ｒに加えられる。その場合右手も左手も、操作突起２２により刃取付け具１２を操作することができる。こうして本発明によるカッタにより、不使用位置から切断位置への刃取付け具１２の移動が、カッタケースの３つの側２３，２４及び２５から可能である。【００２３】  切欠き１５はカッタケース１１の外面２６により、切欠き１６は外面２７により、また切欠き１７は外面２８により包囲されている。図１〜４からわかるように、操作突起２０と２１及び一体に形成された隆起２９と３０は、包囲するケース外面２６と２７に対して凹んで設けられている。操作突起２２も、ケース外面２５に対して凹んで設けられ、一体に形成された隆起３１はケース外面２８に対して少し突出している。【００２４】  強調すべきことは、例えば右手の親指で操作突起２２を操作する際、カッタケース１１を覆う残りの指が他の操作突起２０及び２１に当たらないことである。なぜならば、切欠きを包囲するケース外面２６及び２７が指及び手の当接面を形成するからである。当接面を形成するケース外面２６及び２７のため、手が切欠き１５及び１６を橋のように覆い、操作突起２０及び２１に接触しないからである。この有利な効果も、操作突起２０又は２１の操作の際生じる。【００２５】  図１〜４による表示とは異なり、隆起３１がケース外面��８に対して凹んでいてもよい。
【図面の簡単な説明】
【００２６】
【図１】  本発明によるカッタの概略側面図である。
【図２】  図１において矢印ＩＩの方向に見た平面図である。
【図３】  図２の矢印ＩＩＩの方向に見た側面図である。
【図４】  図１の切断線ＩＶ−ＩＶによる断面図である。
【符号の説明】
【００２７】  １０                カッタ
１１                カッタケース
１２                刃取付け具
１３                カッタ刃
１５，１６，１７    切欠き
１８                開口
２０，２１，２２    操作突起
２３，２４          側面
２６，２７，２８    ケース外面
Ａ                  受入れ通路
Ｒ                  カッタ背面
Ｓ                  カッタ刃先
【図１】
2007117749.tif 000003
【図２】
2007117749.tif 000004
【図３】
2007117749.tif 000005
【図４】
2007117749.tif 000006